(57)【要約】【課題】扉等に対し工具を用いることなく簡易・迅速に取り付けることのできる取手を提供する。【解決手段】ハンドルよりなる取手本体２と、取手本体２の長手方向両端部に圧入嵌合する一対の取付具本体３と、取付具本体３に扉板４等を挟んでバヨネット機構を介して結合する取付裏蓋６とを備える。取付裏蓋６は板状体９の表面側にボス１０を突設している。取付具本体３は、取手本体２の長手方向端部に圧入嵌合する支承溝部１４と、取付裏蓋６のボス１０が挿入可能な結合穴１５とを有する。前記バヨネット機構は、取付裏蓋６のボス１０の先端部外周に径方向で対向するよう設けた一対の係合突起１１と、結合穴１５の内周に該結合穴の軸方向に設けられ、一対の係合突起１１に対応する一対の案内溝１８と、各案内溝１８の軸方向内奥部に連続させて結合穴１５の内周に沿って設けられ、係合突起１１と係合する階段状の係合段部１９とを備える。【選択図】図４
2008127767.tif 000002
【特許請求の範囲】
【請求項１】
棒状のハンドルよりなる取手本体と、この取手本体の長手方向両端部に圧入嵌合される一対の取付具本体と、取付具本体の背面側端面にバヨネット機構を介して結合される取付裏蓋とを備えており、
前記取付裏蓋は、板状体と、この板状体の正面側中央部に突設したボスとを有し、
前記取付具本体は、前記取手本体の長手方向端部に圧入嵌合する支承溝部と、この支承溝部に対し交差するように設けられ前記ボスが挿入される結合穴とを有し、
前記バヨネット機構は、前記ボスの先端部外周に径方向で対向するよう設けた一対の係合突起と、前記結合穴の内周に該結合穴の軸方向に設けられ、前記係合突起に対応する一対の案内溝と、各案内溝の軸方向内奥部に連続させて前記結合穴の内周に沿って設けられ、前記取付裏蓋のボス回りの回転操作に伴い前記係合突起と係合する係合段部とを備えており、
前記係合段部は前記案内溝の軸方向内奥端に連続して前記取付裏蓋の回転方向に向かって上り傾斜する形状の傾斜段部と、この傾斜段部の上り側端から前記取付裏蓋の回転方向に延びる平坦な高段部とを有する形に形成し、前記高段部にはロック解除阻止用突起を設けていることを特徴とする、取手。
【請求項２】
前記取付具本体の背面側端面と前記取付裏蓋の板状体の正面側との重合面間には防水パッキンを配備している、請求項１記載の取手。
【請求項３】
前記取付具本体の支承溝部の外端側は、前記取手本体の長手方向端部を覆い得るように前記取付具本体に一体に形成した端板で閉塞している、請求項１又は２に記載の取手。
【請求項４】
棒状のハンドルよりなる取手本体と、この取手本体の長手方向両端部に圧入嵌合する一対の取付具本体と、この取付具本体の背面側端面にバヨネット機構を介して結合される取付裏蓋とを備えた取手が、前記取付具本体の背面側端面と前記取付裏蓋との間で予め取付孔を設けてある板状の取付対象物を挟持する取手の取付構造であって、
前記取付裏蓋は、板状体と、この板状体の正面側中央部に突設したボスとを有し、
前記取付具本体は、前記取手本体の長手方向端部に圧入嵌合する支承溝部と、前記取付対象物の取付孔に合致するように背面側端面に設けられ前記取付裏蓋のボスが挿入される結合穴とを有し、
前記バヨネット機構は、前記取付裏蓋のボスの先端部外周に径方向で対向するよう設けた一対の係合突起と、前記結合穴の内周に該結合穴の軸方向に設けられ、前記係合突起に対応する一対の案内溝と、各案内溝の軸方向内奥部に連続させて結合穴の内周に沿って設けられ、前記取付裏蓋のボス回りの回転操作に伴い前記係合突起と係合する係合段部とを備えており、
前記係合段部は前記案内溝の軸方向内奥端に連続して前記取付裏蓋の回転方向に向かって上り傾斜する形状の傾斜段部と、この傾斜段部の上り側端から前記取付裏蓋の回転方向に延びる平坦な高段部とを有する形に形成し、前記高段部にはロック解除阻止用突起を設けていることを特徴とする、取手の取付構造。
【発明の詳細な説明】
【技術分野】
【０００１】
本発明は、開き扉や引き扉等に取り付ける大型のハンドル形式の取手、および該取手の取付構造に関する。
【背景技術】
【０００２】
この種の取手の取付構造として、たとえば、図２０に示すように、棒状の握り部４０と、握り部４０の上下両端に取付部４１，４２を形成したコ字状の大型のハンドル４３を用意し、このハンドル４３の取付部４１，４２を扉の框４４に取付ボルト４５で取り付けるというものがある（例えば、特許文献１参照。）。更に詳しくは、ハンドル４３の各取付部４１，４２に円柱状の突起４６および切込部４７を形成し、突起４６を框４４に予め形成された取付孔４８に嵌め込み、取付ボルト４５を切込部４７から框４４に向けて挿通し、図外のナットに螺合させることによりハンドル４３が扉の框４４に取り付けられる。なお、最後に、切込部４７はキャップ４９で覆い隠している。
【０００３】
【特許文献１】特開平１１−２５６８９２号公報（図３）
【発明の開示】
【発明が解決しようとする課題】
【０００４】
ところで、例えば、組立式の物置や収納庫等においては、その組立てを購入者が行う場合が多々あり、ハンドル形式の取手を扉に取り付ける作業などは工具無しで簡単に組み立てられることが要求される。しかしながら、上記従来の取手の取付構造では、取付ボルト４５、ナット、および取付ボルト４５を締め付けるための工具を必要とし、そればかりか、取付ボルト４５で締め付ける取付け施工に手間がかかり、不利不便である。
【０００５】
そこで本発明は、上記のような要求に応えるためになされたものであり、その目的とするところは、扉等の取付対象物に対し取付ボルト・ナット、および工具を用いることなく簡易・迅速に取り付けることのできる取手、および取手の取付構造を提供することにある。
【課題を解決するための手段】
【０００６】
本発明の取手は、請求項１に記載のように、発明の内容を理解しやすくするために図１〜図１８に付した符号を参照して説明すると、棒状のハンドルよりなる取手本体（２）と、取手本体（２）の長手方向両端部に圧入嵌合される一対の取付具本体（３）と、取付具本体（３）の背面側端面にバヨネット機構（５）を介して結合される取付裏蓋（６）とを備えており、取付裏蓋（６）は、板状体（９）と、この板状体（９）の正面側中央部に突設したボス（１０）とを有し、取付具本体（３）は、取手本体（２）の長手方向端部に圧入嵌合する支承溝部（１４）と、支承溝部（１４）に対し交差するように設けられボス（１０）が挿入される結合穴（１５）とを有し、バヨネット機構（５）は、ボス（１０）の先端部外周に径方向で対向するよう設けた一対の係合突起（１１）と、結合穴（１５）の内周に該結合穴の軸方向に設けられ、一対の係合突起（１１）に対応する一対の案内溝（１８）と、各案内溝（１８）の軸方向内奥部に連続させて結合穴（１５）の内周に沿って設けられ、取付裏蓋（６）のボス（１０）回りの回転操作に伴い係合突起（１１）と係合する係合段部（１９）により構成しており、係合段部（１９）は案内溝（１８）の軸方向内奥端に連続して取付裏蓋（６）の回転方向に向かって上り傾斜する形状の傾斜段部（２２）と、傾斜段部（２２）の上り側端から取付裏蓋（６）の回転方向に延びる平坦な高段部（２１）とを有する形に形成し、高段部（２１）にはロック解除阻止用突起（２３）を設けていることに特徴を有するものである。
このように構成された取手によれば、取手本体（２）の長手方向両端部に取付具本体（３）を圧入嵌合させるだけで、締結部材や工具を用いることなく、取手本体（２）の長手方向端部を取付具本体（３）の支承溝部（１４）との重合面間に生じる摩擦係合により抜止め状に簡単に一体的に結合することができる。しかも、取付具本体（３）に対し取付裏蓋（６）をバヨネット機構（５）を介して結合しているので、取付裏蓋（６）の板状体（９）の外周縁に手を掛けて取付裏蓋（６）を回転させるだけの簡単な操作で、取付具本体（３）の背面側端面と取付裏蓋（６）の板状体（９）との間に板状の取付対象物を挟持することができて取手本体（２）を取付対象物に対し取付ボルト・ナットおよび工具を用いることなく簡易かつ迅速に取り付けることができる。
【０００７】
請求項１記載の取手は、請求項２に記載のように、取付具本体（３）の背面側端面と取付裏蓋（６）の板状体（９）の正面側との重合面間には防水パッキン（２５）を配備することができる。これによれば、取手を屋外に設置される組立式物置の扉などに取り付けた場合にも、取付具本体（３）の背面側端面と取付裏蓋（６）の板状体（９）との重合面間から雨水が浸入するのを防止できる。
【０００８】
請求項１又は２記載の取手は、請求項３に記載のように、取付具本体（３）の支承溝部（１４）の外端側は、取手本体（２）の長手方向端部を覆い得るように取付具本体（３）に一体に形成した端板（１７）で閉塞することができる。これによれば、取付具本体（３）の支承溝部（１４）に取手本体（２）の長手方向端部を圧入嵌合すると同時に、取手本体（２）の長手方向端部を端板（１７）で覆われるため、取付具本体（３）は取手本体（２）の長手方向端部を覆い隠すキャップに兼用することができる。
【０００９】
本発明の取手の取付構造は、請求項４に記載のように、発明の内容を理解しやすくするために図１〜図１８に付した符号を参照して説明すると、棒状のハンドルよりなる取手本体（２）と、取手本体（２）の長手方向両端部に圧入嵌合する一対の取付具本体（３）と、取付具本体（３）の背面側端面にバヨネット機構（５）を介して結合される取付裏蓋（６）とを備えた取手（１）が、取付具本体（３）の背面側端面と取付裏蓋（６）との間で予め取付孔（２９）を設けてある板状の取付対象物（４）を挟持する取手の取付構造であって、取付裏蓋（６）は、板状体（９）と、板状体（９）の正面側中央部に突設したボス（１０）とを有し、取付具本体（３）は、取手本体（２）の長手方向端部に圧入嵌合する支承溝部（１４）と、取付対象物（４）の取付孔（２９）に合致するように背面側端面に設けられ取付裏蓋（６）のボス（９）が挿入される結合穴（１５）とを有し、前記バヨネット機構（５）は、取付裏蓋（６）のボス（１０）の先端部外周に径方向で対向するよう設けた一対の係合突起（１１）と、結合穴（１５）の内周に該結合穴の軸方向に設けられ、一対の係合突起（１１）に対応する一対の案内溝（１８）と、各案内溝（１８）の軸方向内奥部に連続させて結合穴（１５）の内周に沿って設けられ、取付裏蓋（６）のボス（１０）回りの回転操作に伴い係合突起（１１）と係合する係合段部（１９）により構成しており、係合段部（１９）は案内溝（１８）の軸方向内奥端に連続して取付裏蓋（６）の回転方向に向かって上り傾斜する形状の傾斜段部（２２）と、傾斜段部（２２）の上り側端から取付裏蓋（６）の回転方向に延びる平坦な高段部（２１）とを有する形に形成し、高段部（２１）にはロック解除阻止用突起（２３）を設けていることに特徴を有するものである。
このように構成された取手の取付構造によれば、取手本体（２）の長手方向両端部に取付具本体（３）を圧入嵌合させるだけで、締結部材や工具を用いることなく、取手本体（２）の長手方向端部を取付具本体（３）の支承溝部（１４）との重合面間に生じる摩擦係合により抜止め状に簡単に一体的に結合することができる。しかも、取付具本体（３）に対し取付裏蓋（６）をバヨネット機構（５）を介して結合しているので、取付裏蓋（６）の板状体（９）の外周縁に手を掛けて取付裏蓋（６）を回転させるだけの簡単な操作で、取付具本体（３）の背面側端面と取付裏蓋（６）の板状体（９）との間に板状の取付対象物（４）を挟持することができて取手本体（２）を取付対象物（４）に対し取付ボルト・ナットおよび工具を用いることなく簡易かつ迅速に取り付けることができる。
【発明の効果】
【００１０】
本発明の取手およびその取付構造によれば、扉等に対し取手を取付ボルト・ナットおよび工具を用いることなく簡易かつ迅速に取り付けることができて有利である。
【発明を実施するための最良の形態】
【００１１】
以下、本発明に係る取手及びその取付構造の好適な実施形態例を図面に基づき説明する。
【００１２】
図１〜図５に示すように、本発明に係る取手１は、棒状のハンドルよりなる取手本体２と、取手本体２の長手方向両端部に圧入嵌合される一対の取付具本体３と、各取付具本体３に扉板４等の取付対象物を挟んでバヨネット機構５を介して結合される取付裏蓋６とを備える。
【００１３】
図１〜図３、図１０に示すように、取手本体２は金属あるいは合成樹脂製の中空又は中実の棒状のハンドルよりなる。図示例の取手本体２は、断面三角形に押出成形された中空アルミニウム押出成形品からなり、その断面三角形の斜面部２ａ，２ｂ及び正面部２ｃの各辺の外周面には滑り止めや擦り傷防止などのために多数の筋目７を軸方向に形成し、両斜面部２ａ，２ｂの各外周には断面Ｖ形状の凹溝８を軸方向に沿って相対向状に形成している。
【００１４】
図１３〜図１６に示すように、取付裏蓋６は、剛性、硬度、加工性、耐衝撃性、曲げ疲労性に優れたＡＢＳ樹脂等の合成樹脂成形品からなり、円形あるいは非円形等の板状体９と、この板状体９の正面側の中央部から一体に突設した環状のボス１０とを有し、ボス１０の先端部外周には径方向で相対向する一対の係合突起１１を設けている。取付裏蓋６はこれを回転操作するときに板状体９を手でつかみ易いように該板状体９の外周縁に指掛け凹部１２を設けている。板状体９の背面には回転方向を指示する矢印Ｆ等のマークを刻設しており、また背面中央部には、スパナ等工具掛け用の多角形の凹溝１３を設けているが、その凹溝１３は必ずしも必要とするものではない。
【００１５】
図６〜図１２に示すように、取付具本体３は、屋外使用にも耐えられるように耐候性に優れる合成樹脂成形品からなり、取付具本体３の正面側には取手本体３の長手方向端部が圧入嵌合し得る支承溝部１４を形成し、取付具本体２の背面側には取付裏蓋６のボス１０が挿入可能な断面円形状の結合穴１５を支承溝部１４に対し交差するよう形成している。取付具本体３の支承溝部１４には取手本体２の一対の凹溝８に係合する断面Ｖ形状の突起１６を設けている。取付具本体３の支承溝部１４の外端側は、取手本体２の長手方向端部を覆い得るように取付具本体３に一体に形成した端板１７で閉塞しており、その端板１７の正面側端縁には取手本体２の端部正面側を覆い得る鍔１７ａを張り出し形成している。
取付具本体３の支承溝部１４は、図１０に示すように、取手本体２が断面三角形状に形成されている場合、その断面三角形状の両斜面部２ａ，２ｂの外面に対し摩擦係合する寸法の断面Ｖ形状に形成し、その断面Ｖ形状の支承溝部１４の内部には、取手本体２を圧入嵌合し易いように取手本体２の一対の凹溝８に係合する断面Ｖ形状の突起１６を相対向状に設けている。
【００１６】
図６、図１０に示すように、取付具本体３の結合穴１５の内周には取付裏蓋６の一対の係合突起１１に対応する一対の案内溝１８を該結合穴１５の軸方向に形成するとともに、各案内溝１８の軸方向内奥端に連続させて係合突起１１と係合する係合段部１９を結合穴１５の内周に沿って形成している。係合段部１９は案内溝１８の軸方向内奥端に連続して取付裏蓋６の回転方向（矢印Ｆ方向）に延びる平坦な低段部２０と、低段部２０の案内溝１８側端とは反対側端から取付裏蓋６の回転方向に向かって上り傾斜する形状の傾斜段部２２と、傾斜段部２２の上り側端から取付裏蓋６の回転方向に延びる平坦な高段部２１とを有する階段状に形成し、高段部２１にはロック解除阻止用突起２３を設けている。なお、係合段部１９は、低段部２０を必ずしも必要とするものではなく、案内溝１８の軸方向内奥端に連続して取付裏蓋６の回転方向に向かって上り傾斜する形状の傾斜段部２２と、傾斜段部２２の上り側端から取付裏蓋６の回転方向に延びる平坦な高段部２１とを有する形に形成するものであってもよい。
径方向に相対向するロック解除阻止用突起２３，２３の突出端同士間の間隔Ｍ（図６参照）は、一対の係合突起１１，１１の突出端同士間の距離Ｎ（図１３参照）よりも少し短く設定している。これにより取付具本体３の結合穴１５内で取付裏蓋６をボス１０回りに矢印Ｆ方向又はそれとは反対方向に回転させるに伴い、係合突起１１が高段部２１上でロック解除阻止用突起２３に対しロック解除阻止用突起２３及び／又は係合突起１１の弾性変形を介して乗り越え自在となしている。
【００１７】
前記バヨネット機構５は、取付裏蓋６のボス１０の一対の係合突起１１と、取付具本体３の一対の案内溝１８、および係合段部１９により構成される。すなわち、取付裏蓋６を取付具本体３にバヨネット機構５を介して結合するにあたり、取付具本体３の背面側端面に開口する結合穴１５に取付裏蓋６のボス１０を挿入するが、その際、ボス１０の一対の係合突起１１を案内溝１８の軸方向内奥部にまで挿入したのち、板状体９の外周縁に手を掛けて取付裏蓋６を矢印Ｆ方向（図１３、図１５参照）に略９０度回転させる。この取付裏蓋６の回転に伴い、係合突起１１は低段部２０、傾斜段部２２、高段部２１の順に滑り移動し、傾斜段部２２を上り移動するに伴い取付具本体３を取手本体２ごと取付裏蓋６の方へ引き寄せる作用が働く。取付裏蓋６を略９０度回転させるや否や係合突起１１が高段部２１上に達してロック解除阻止用突起２３を乗り越えることにより取付具本体３と取付裏蓋６との結合状態が保持され、すなわち取付具本体３に対する取付裏蓋６のロック状態が解除されるのを阻止することができる。
【００１８】
取手１を、例えば、屋外に置く組立式物置２４の扉板４等に取り付ける場合には、取付具本体３の背面側端面と扉板４の外面側との重合面間から雨水が浸入し、扉板４の取付孔２９から組立式物置２４の内部に入るのを防止する防水対策が必要とされる。そのために、図５に示すように、取付具本体３の背面側端面と取付裏蓋６の板状体９の正面側との重合面間には防水パッキン２５を配備する。その防水パッキン２５は予め取付具本体３の背面側端面に重合接着しておく。図１７に示すように、防水パッキン２５の中央には、取付具本体３の背面側端面に開口する結合穴１５と一対の案内溝１８により形成される穴形状に対応する断面形状の貫通孔２６を設けている。防水パッキン２５を取付具本体３の背面側端面に重合接着するとき、結合穴１５と一対の案内溝１８に防水パッキン２５の貫通孔２６を合致させ易いように、取付具本体３の背面側端面に一対の小さい位置決め突起２７を設ける一方、防水パッキン２５に位置決め突起２７に対応する一対の小さい位置決め孔２８を設けている。
【００１９】
次に、上記構成の取手１を、例えば、図１８に示すように、組立式物置２４の扉板４に取り付ける要領について説明する。
【００２０】
先ず、取手本体２の長手方向両端部にそれぞれ取付具本体３の支承溝部１４を圧入嵌合する。これにより取手本体２の長手方向両端部にそれぞれ取付具本体３を一体的に結合することができる。また、それと同時に、取手本体２の長手方向端部を端板１７で覆い隠すことができるため、取手本体２として長尺の中空アルミニウム押出成形品を定寸に切り放したまま使用してもその切り放し端を端板１７で覆い隠すことができて見映えよく納めることができる。
次いで、取付具本体３の背面側端面を、予め取付孔２９を設けてある扉板４の外面側に結合穴１５と取付孔２９とが合致するようにあてがい、扉板４の内面側から取付裏蓋６のボス１０を取付孔２９、更に結合穴１５に挿入する。取付裏蓋６は、ボス１０の係合突起１１が案内溝１８の軸方向内奥部に達するまで挿入された後、板状体９の外周縁に手を掛けて矢印Ｆ方向に略９０度回転させる。すると、取付具本体３がバヨネット機構５を介して取手本体２ごと扉板４側に引き寄せられ、取付具本体３の背面側端面上の防水パッキン２５と取付裏蓋６の板状体９の表面側との間で扉板４が挟持される。引き続いて、係合突起１１が高段部１９上に達してロック解除阻止用突起２３を乗り越えると、そのロック解除阻止用突起２３により取付裏蓋６が矢印Ｆ方向と反対方向に回転するのを阻止され、取付具本体３に対する取付裏蓋６のロック状態が保持される。したがって、取手１が扉板４に取り付けられた状態を堅持することができる。
【００２１】
このように、取付裏蓋６の板状体９の外周縁に手を掛けて取付裏蓋６を一方向に回転させるだけの簡単な操作で、扉板４に対し取手本体２を取付ボルト・ナット及び工具を用いることなく簡易かつ迅速に取り付けることができる。なお、取付裏蓋６の板状体９の背面側に多角形の凹溝１３を設けている場合は、その凹溝１３にスパナ等の工具を掛けて取付裏蓋６を矢印Ｆ方向に回転させることもできる。
【００２２】
取手１は取手本体２を縦姿勢に取り付ける以外に、横姿勢に取り付けることもできる。取手本体２を屋外の扉板４などに縦姿勢に取り付ける場合、その下側の取付具本体３の端板１７の裏側端部には図１９に示すように水抜孔３０を設けておくことが、上記防水パッキン２５と相俟って防水上更に有利となる。
【００２３】
取手１を扉板４から取り外す必要があるときは、取付裏蓋６の板状体９の外周縁に手を掛けて取付裏蓋６を矢印Ｆ方向と反対方向に回転させることにより取り外すことができる。取付裏蓋６の板状体９の背面側に多角形の凹溝１３を設けている場合は、その凹溝１３にスパナ等の工具を掛けて取付裏蓋６を矢印Ｆ方向と反対方向に回転させることもできる。
【００２４】
大型のハンドルよりなる取手本体２は扉板４以外に、手摺などに使用するために壁板等の板状の取付対象物にも取り付けることもできる。
【図面の簡単な説明】
【００２５】
【図１】本発明の一実施例を示す取手の正面図である。
【図２】同取手の側面図である。
【図３】同取手の背面図である。
【図４】図１におけるＡ−Ａ線断面図である。
【図５】図４におけるＥ部の拡大図である。
【図６】同取手の取付具本体の正面図である。
【図７】同取手の取付具本体の底面図である。
【図８】同取手の取付具本体の側面図である。
【図９】同取手の取付具本体の背面図である。
【図１０】図６におけるＢ−Ｂ線断面図である。
【図１１】図６におけるＣ−Ｃ線断面図である。
【図１２】同取手の取付具本体の斜視図である。
【図１３】同取手の取付裏蓋の正面図である。
【図１４】同取手の取付裏蓋の底面図である。
【図１５】同取手の取付裏蓋の背面図である。
【図１６】図１３におけるＤ−Ｄ線断面図である。
【図１７】同取手の取付具本体、防水パッキン、および取付裏蓋の斜視図である。
【図１８】同取手を組立式物置の扉に取り付けた状態を示す正面図である。
【図１９】同取手の取付具本体の他例を示す斜視図である。
【図２０】従来例の取手の取付構造を示す分解斜視図である。
【符号の説明】
【００２６】
１  取手
２  取手本体
３  取付具本体
４  扉板（取付対象物）
５  バヨネット機構
６  取付裏蓋
８  凹溝
９  板状体
１０  ボス
１１  係合突起
１４  支承溝部
１５  結合穴
１６  突起
１７  端板
１９  係合段部
２０  低段部
２１  高段部
２２  傾斜断部
２３  ロック解除阻止用突起
２５  防水パッキン
２６  貫通孔
２９  取付孔
【図１】
2008127767.tif 000003
【図２】
2008127767.tif 000004
【図３】
2008127767.tif 000005
【図４】
2008127767.tif 000006
【図５】
2008127767.tif 000007
【図６】
2008127767.tif 000008
【図７】
2008127767.tif 000009
【図８】
2008127767.tif 000010
【図９】
2008127767.tif 000011
【図１０】
2008127767.tif 000012
【図１１】
2008127767.tif 000013
【図１２】
2008127767.tif 000014
【図１３】
2008127767.tif 000015
【図１４】
2008127767.tif 000016
【図１５】
2008127767.tif 000017
【図１６】
2008127767.tif 000018
【図１７】
2008127767.tif 000019
【図１８】
2008127767.tif 000020
【図１９】
2008127767.tif 000021
【図２０】
2008127767.tif 000022